(57)【要約】【課題】ライニング材の厚さが変化しても確実に保持することのできるコンパクトな構造の制動装置を備えた魚釣用スピニングリールを提供すること。【解決手段】リール本体１２に軸方向に移動可能に支持したスプール軸３４に、スプール１６を回転可能に装着し、このスプール１６の前部に設けた凹陥部４８に、スプール１６と一体回転する回転制動板６０を介してスプール１６とスプール軸３４とを摩擦結合するドラグ装置５０を備え、この制動装置５０の回転制動板６０は、スプール１６の凹陥部４８内に形成した挿入孔６４に係合する折曲片６０ａを外周に有する魚釣用スピニングリールであって、凹陥部４８は、制動装置６０のライニング材６２が係合可能な摩擦係合面４６ａよりも径方向外方側で、この摩擦係合面との間に段差を形成する段部６６を内周部に有し、この段部６６に、折曲片６０ａが係合する挿入孔６４を形成した魚釣用スピニングリール１０。【選択図】    図２
2010154778.tif 000002
【特許請求の範囲】
【請求項１】
リール本体に軸方向に移動可能に支持したスプール軸に、スプールを回転可能に装着し、このスプールの前部に設けた凹陥部に、スプールと一体回転する回転制動板を介してスプールとスプール軸とを摩擦結合する制動装置を備え、この制動装置の回転制動板は、前記スプールの凹陥部内に形成した挿入孔に係合する折曲片を外周に有する魚釣用スピニングリールであって、
前記凹陥部は、制動装置のライニング材が係合可能な摩擦係合面よりも径方向外方側で、この摩擦係合面との間に段差を形成する段部を内周部に有し、この段部に、前記折曲片が係合する挿入孔を形成したことを特徴とする魚釣用スピニングリール。
【発明の詳細な説明】
【技術分野】
【０００１】
本発明は、スプールの前部に設けた凹陥部内に、スプールとスプール軸とを摩擦結合する制動装置を備える魚釣用スピニングリールに関する。
【背景技術】
【０００２】
一般に、魚釣用スピニングリールには、対象魚の種類や魚釣時における魚とのファイティングを伴う釣法における糸切れや口切れ対策として、スプールとスプール軸とを摩擦結合し、スプールに大きな回転力が作用したときに、スプールをスプール軸に対して摩擦制動しつつ回転可能とする制動装置であるドラグ装置をスプール内に装備した種々のスピニングリールが開発されている。
【０００３】
このようなスピニングリールには、スプールの前部に設けた凹陥部内に、スプールと一体回転するドラグワッシャを回転制動板として有するドラグ装置を収容し、このドラグワッシャの外周から凹陥部の底部に向けて折曲した複数の折曲片を、凹陥部の底部に形成した複数の挿入孔にそれぞれ装着するものがある（例えば特許文献１参照）。
【０００４】
このようなドラグ装置によると、スプール軸方向に沿う複数の折曲片で囲まれる内側に、ライニング材やスプール軸に回り止めされた固定側のワッシャを積層させて収容することができ、凹陥部の周壁の厚肉化、重量化を防止することができる。
【特許文献１】特許第３３１７１６３号公報
【発明の開示】
【発明が解決しようとする課題】
【０００５】
しかし、ドラグ装置のライニング材は、フェルト材等の押圧力で肉厚が変化し易い材料で形成されるのが通常であるため、スプールに対するドラグワッシャの押圧力の変化でライニング材の厚さが変化し易く、また、使用経過に伴い、磨耗して厚さが薄くなる。このため、新しいライニング材を使用した場合でも、折曲片が挿入孔から外れないように、予め、ライニング材の磨耗量とを考慮して十分な長さに形成しておく必要があり、特に、複数枚のライニング材を用いる場合は、より長く形成する必要がある。
【０００６】
折曲片の長さが長くなると、変形が生じやすく、大きな収容スペースが必要となり、大型化、重量化することになる。
【０００７】
本発明は、このような事情に基づいてなされたもので、スプールと一体回転する回転制動板の折曲片を長くすることなく、ライニング材の厚さが変化しても確実に保持することのできるコンパクトな構造の制動装置を備えた魚釣用スピニングリールを提供することを目的とする。
【課題を解決するための手段】
【０００８】
上記目的を達成するため、本発明によると、リール本体に軸方向に移動可能に支持したスプール軸に、スプールを回転可能に装着し、このスプールの前部に設けた凹陥部に、スプールと一体回転する回転制動板を介してスプールとスプール軸とを摩擦結合する制動装置を備え、この制動装置の回転制動板は、前記スプールの凹陥部内に形成した挿入孔に係合する折曲片を外周に有する魚釣用スピニングリールであって、前記凹陥部は、制動装置のライニング材が係合可能な摩擦係合面よりも径方向外方側で、この摩擦係合面との間に段差を形成する段部を内周部に有し、この段部に、前記折曲片が係合する挿入孔を形成した魚釣用スピニングリールが提供される。
【発明の効果】
【０００９】
このような特徴を備えた本発明の魚釣用スピニングリールによると、段部に挿入孔を形成することにより、ライニング材の厚さが変化する場合でも、回転制動板の折曲片の長さを長くすることなく、折曲片と挿入孔との係合を維持することができ、コンパクトで軽量構造の制動装置を備えた魚釣用スピニングリールを形成することができる。
【発明を実施するための最良の形態】
【００１０】
図１および図２は、本発明の好ましい実施形態による魚釣用スピニングリール１０を示す。
【００１１】
図１にその全体を示すように、本実施形態の魚釣用スピニングリール１０は、剛性構造のリールボディの一側に固定される着脱可能の蓋体（図示しない）でその内部空間を閉じたリール本体１２を有し、このリール本体１２から上方に延出する脚部１２ａの端部に形成された竿取付部１２ｂを介して釣竿に取り付けられる。このリール本体１２の内部空間内に、ロータ１４を回転駆動してスプール１６に釣糸を巻回するための巻取駆動機構１８と、スプール１６を前後に往復動させるスプール往復動機構２０とが設けられている。
【００１２】
巻取駆動機構１８は、リール本体１２内に回転可能に支持されてハンドル２２で回転されるハンドル軸２４に固定された駆動歯車２６と、この駆動歯車２６に噛合するピニオンギヤ２８とを備える。ハンドル軸２４は、リール本体１２のリールボディと蓋体とにそれぞれ支えられた、例えば２つの軸受で回転自在に支えられる。このハンドル軸２４および駆動歯車２６で駆動されるピニオンギヤ２８は、ハンドル軸２４に対して直交する前後方向に延びかつリール本体１２に対して回転自在に支持されている。このピニオンギヤ２８に、ベール３０および釣糸案内部３２を備えたロータ１４が一体的に取り付けられており、ハンドル２２の回転に連動して回転することができる。
【００１３】
このピニオンギヤ２８内を、スプール軸３４が貫通し、ハンドル軸２４と直交する前後方向に延在している。このスプール軸３４は、ピニオンギヤ２８と同心的に配され、このピニオンギヤ２８およびリール本体１２に対してハンドル軸２４と直交する方向に沿って前後動することができる。このスプール軸３４の先端部に、図２に概略的に示すように、後端にフランジ部３５ａを有する円筒状の支持部材３５が図示しないピン等で回り止めされかつ軸方向に移動不能に取付けられ、この支持部材３５にスプール１６が着脱可能に取付けられる。スプール１６は、スプール軸３４と共に前後方向に往復動することができる。
【００１４】
スプール往復動機構２０は、ピニオンギヤ２８に噛合する連動歯車３８で回転駆動されるカム軸４０を有し、このカム軸で前後方向に移動される摺動体４２がスプール軸３４の後端に取付けられている。ハンドル軸２４が回転されると、ピニオンギヤ２８および連動歯車３８を介して回転駆動されるカム軸４０により、摺動体４２およびこの摺動体が取付けられたスプール軸３４が、ロータ１４と同期して前後方向に往復動される。
【００１５】
このように形成された魚釣用スピニングリール１０は、ハンドル２２を回転操作してハンドル軸２４を回転させると、スプール往復動機構２０の摺動体４２に取付けられたスプール軸３４を介してスプール１６が前後に往復動し、一方、巻取駆動機構１８の駆動歯車２６とピニオンギヤ２８とを介してロータ１４が回転駆動される。したがって、スプール１６の胴部１６ｂには、釣糸案内部３２で案内された釣糸がスプール１６上にほぼ均等に巻回される。
【００１６】
更に、ロータ１４は、公知のように、例えば特許第３５１５８９５号に開示されているような、スプール１６のスカート部１６ａ内に配置される筒部内に、このロータ１４の回転状態を、逆転防止状態と正逆転可能状態とに切換える逆転防止機構（図示しない）を設けてあり、図示しないレバーにより、ロータ１４が釣糸巻取方向（正転方向）および釣糸繰出方向（逆転方向）に自由に回転できる正逆転可能状態と、正転方向にのみ回転可能な逆転防止状態とに切換えることができる。
【００１７】
スプール１６は、図２に示すように、釣糸が巻回される胴部１６ｂを外周部に凹設し、この胴部１６ｂの両端側に上述のスカート部１６ａと鍔部１６ｃとを配置した筒状構造に形成してある。また、スプール１６の内側では、胴部１６ｂとスカート部１６ａとの間に、支持部材３５を介してスプール軸３４に装着するための貫通孔４４を軸心と同心状に配置した支持壁４６を一体に形成してあり、このスプール１６の胴部１６ｂ側では、凹陥部４８が前方に開口させて形成される。
【００１８】
図１から明らかなように、本実施形態の魚釣用スピニングリール１０は、フロントドラグ方式のドラグ装置５０を制動装置として備えており、スプール１６に制動力を付与しながらスプール１６の釣糸繰り出し方向への回転を許容する。このドラグ装置５０は、スプール軸３４の先端に螺合される調節ツマミ５２と、凹陥部４８内に配置した摩擦結合装置５４と、この摩擦結合装置５４をスプール１６の支持壁４６を介して、支持部材３５のフランジ部３５ａに押圧する押圧板５６とを備える。この押圧板５６は、支持部材３５の前端側の外周部に回り止めされかつこの支持部材３５上を軸方向に移動可能に装着してある。本実施形態では、押圧板５６は、スプール１６に回り止めされた摩擦結合装置５４を介してフランジ部３５ａとの間で、スプール１６の支持壁４６を挟み込み、支持部材３５およびスプール軸３４に対するスプール１６の摩擦結合力を形成する。
【００１９】
この摩擦結合装置５４に対する押圧板５６は、摩擦結合装置５４の摩擦結合力を調節する調節体として機能し、この押圧板５６による押圧力は、ドラグ調節ツマミ５２で移動される押圧部５２ａに配置した図示しない圧縮バネの付勢力で調節される。この付勢力はドラグ調節ツマミ５２の回転で調節することができる。すなわち、ドラグ調節ツマミ５２をスプール軸３４に捩じ込むと、この捩じ込み量に応じたバネの付勢力で、スプール１６が支持部材３５のフランジ部３５ａに押圧され、スプール軸３４に対するスプール１６の回転が規制される。逆に、ドラグ調節ツマミ５２を緩めると、その緩め具合に応じて、スプール１６の制動抵抗すなわち摩擦結合力が低下し、スプール軸３４に対して回転し易くなる。
【００２０】
本実施形態の摩擦結合装置５４は、内周部を支持部材３５に回り止め嵌合された金属製のスプール軸側摩擦板すなわち固定制動板５８と、外周部をスプール１６に回り止めされたスプール側摩擦板すなわち回転制動板６０とを有する多板構造に形成されている。固定制動板５８および回転制動板６０をそれぞれ２枚以上設けてもよい。これらの回転制動板６０および固定制動板５８は、支持部材３５上を軸方向に移動することができ、上述の押圧部５２ａにより、押圧板５６を介して支持壁４６の摩擦係合面４６ａに付勢される。これらの固定制動板５８と回転制動板６０とを交互に配置し、互いに対向する摩擦係合面間には、例えばフェルト材や樹脂製のライニング材６２を介挿してある。これらのライニング材６２は、対向する摩擦係合面の一方に接着固定してもよく、あるいは、いずれの摩擦係合面にも固定することなく、ライニング材６２のみを交換可能としてもよい。
【００２１】
この支持部材３５と固定制動板５８との間の回り止めは、固定制動板５８の中央部に形成した装着孔を、支持部材３５の外周面の非円形形状（図示しない）に対応した非円形形状に形成し、支持部材３５の非円形形状の外周面に、固定制動板５８の非円形形状の装着孔を嵌合することにより、行うことができる。
【００２２】
一方、スプール１６と回転制動板６０との間の回り止めは、回転制動板６０の外周から後方すなわち支持壁４６側に折り曲げられてスプール軸３４に沿って延びる、本実施形態では４つである複数の折曲片６０ａを支持壁４６に形成した装着孔６４内に係合することにより、行っている。固定制動板５８およびライニング材６２は、これらの折曲片６０ａの内周側に、折曲片６０ａと干渉することなく配置される。
【００２３】
本実施形態では、この装着孔６４を形成するため、支持壁４６の摩擦係合面４６ａとの間に段差を形成する段部６６を凹陥部４８の内周部に沿う連続した環状形状に形成してある。この段部６６は、摩擦係合面４６ａの外周側で、この摩擦係合面４６ａとの間に、少なくとも未使用のライニング材６２一枚の厚さ分より大きく、固定制動版５８に２枚分５８にライニング材の厚さを加えた大きさよりも小さな段差を形成することが好ましく、スプール側に配置されるライニング材６２やワッシャすなわち制動板の枚数や厚みに応じて設定する。
【００２４】
このように、支持壁４６ａの摩擦係合面４６ａから立上がった状態の段部６６に挿入孔６４を形成することにより、ライニング材６２の厚さが変化する場合でも、回転制動板６０の折曲片６０ａの長さを長くすることなく、折曲片６０ａと挿入孔６４との係合を維持した状態で軸方向に移動することができ、コンパクトで軽量構造の制動装置を備えた魚釣用スピニングリールを形成することができる。
【００２５】
図３に示すように、このような装着孔６４を形成するための段部６６は、複数の折曲片６０ａが囲む固定制動版５８およびライニング材６２の作動を阻害せず、かつ、折曲片６０ａを係止して周方向に移動しないように保持できるものであれば、挿入孔６４の一部を形成する幅狭形状に形成することもできる。この場合には、挿入孔６４の折曲片６０ａが係合する部分を段部６６に配置し、折曲片６０ａよりも内周側部分が摩擦係合面４６ａに配置した状態で、挿入孔６４が段部６６と摩擦係合面４６ａとの双方に跨った状態で形成される。
【００２６】
この場合には、回転制動板６０の後方すなわち固定制動版５８側の一部が段部６６の環状端面を超えて支持壁４６に移動することができ、回転制動板６０の軸方向距離を大きくすることができる。また、段部６６の領域が少なくなることで、更に軽量化することができる。
【００２７】
また、段部６６を凹陥部４８の内周に沿って連続させて形成することに代え、図４の（Ａ）および（Ｂ）に示すように、挿入孔６４を形成する部位にのみ段部を形成することもでき、挿入孔の形状も、折曲片６０ａを軸方向に移動可能でかつ周方向の移動を阻止できるものであれば、図４の（Ａ）に示すような円形形状だけでなく、（Ｂ）に符号６５で示すように、折曲片６０ａに対応した矩形形状とすることができる。
【００２８】
以上、本発明の好ましい実施形態について説明してきたが、本発明は上述の実施形態に限るものではなく、例えば、図４の（Ｂ）に示すような矩形形状の挿入孔６５を、図２に示す段部や図３に示す幅狭の段部６６に設けることもできる。
【図面の簡単な説明】
【００２９】
【図１】本発明の好ましい実施形態による魚釣用スピニングリールの説明図。
【図２】スプール内に配置したドラグ装置を示す説明図。
【図３】他の実施形態によるスプールを示し、(Ａ）は軸方向断面図、（Ｂ）は(Ａ）のＢ−Ｂ線に沿う断面図、（Ｃ）は挿入孔の部位の拡大図、（Ｄ）は（Ｃ）の斜視図。
【図４】変形例によるスプール図３の（Ｂ）と同様な断面で示し、（Ａ）は円形の挿入孔を形成した変形例の説明図、（Ｂ）は矩形の挿入孔を形成した変形例の説明図、（Ｃ）は（Ｂ）のＣ−Ｃ線に沿う断面図。
【符号の説明】
【００３０】
１０…魚釣用スピニングリール、１２…リール本体、１６…スプール、３４…スプール軸、４８…凹陥部、６２…回転制動板、６４…挿入孔、６６…段部。
【図１】
2010154778.tif 000003
【図２】
2010154778.tif 000004
【図３】
2010154778.tif 000005
【図４】
2010154778.tif 000006